(57)【特許請求の範囲】
【請求項１】
開口縁により入り口が奧側より狭くなされた取付溝が上面に形成された根太材と、上面より下方の側面に突出して設けられた取付部を備えたデッキ材と、前記取付溝に挿入される挿入部と前記取付部を上方から押さえつけて固定する押圧部とを備えた取付金具と、を用いたデッキの固定構造であって、取付金具は断面両手鍋形状となされたもので、該両手鍋形状の鍋掴み部分が押圧部、鍋底部分が挿入部となされ、略同一の断面形状で延設されると共に、延設方向の両端から押圧部と挿入部とを残して切欠き部が形成され、挿入部が取付溝内に挿入された状態で、取付金具の延設方向と根太材の取付溝の延設方向とが平行から少なくとも直角となるまで、取付金具が回動可能となされ、該取付金具が回動されると前記切欠き部に根太材の取付溝の開口縁が挿入されるようになされると共に、挿入部に設けられたビス孔に挿通されたビスが前記取付溝の底に螺着されて、該取付金具が根太材に固定されるようになされていることを特徴とするデッキ材の固定構造。
【請求項２】
前記挿入部は、延設方向の先端の、少なくとも対角に位置する角部がＲ形状に面取りされていることを特徴とする請求項１に記載のデッキ材の固定構造。
【請求項３】
前記挿入部は、前記取付溝内で上下方向に付勢力が生じるバネ形状となされていることを特徴とする請求項１又は２に記載のデッキ材の固定構造。
【発明の詳細な説明】
【技術分野】
【０００１】
本発明は、遊歩道や公園施設において設置されるベンチやテーブル，八ツ橋，ボードウォークの他、競技場観覧席、或いはベランダやテラスの直貼り式デッキにおいて、仕上材として使用される合成樹脂、合成木材、天然木材製のデッキ材を根太材に固定するためのデッキ材の固定構造に関するものである。
【背景技術】
【０００２】
一般に根太材にデッキ材を取り付けて形成する直貼り式デッキは、根太材と横切る方向にデッキ材を配置し、根太材とデッキ材とが交差する部位で取付用の部材を用いて取り付けている。取り付けに際しては、デッキ材の表面に釘やボルト等の締結手段が表れた状態では外観上見苦しく、また引っかかる恐れがあることから、デッキ材の厚みを大きいものとし、デッキ材の側端下方に取付部を設け、取付用の部材と根太材との間に取付部を挟んで固定することで、取り付けが容易で締結手段が表面に表れることがないデッキ材の固定構造が用いられてきている。
【０００３】
かかる直貼り式デッキについては、例えば根太の上にデッキ材を載置し、隣接するデッキ材の対向面に形成してある溝に押え材を掛け渡し、前記隣接するデッキ材の間からねじを前記押え材に貫通して前記根太にねじ込むことによりデッキ材を根太に固定する装置において、前記根太の上面に凸部が形成してあること、前記押え材は、その押え材に貫通したねじを前記根太の凸部に鞍座する、弾性を有する鞍部材に仮螺着してなる鞍付き押え材であること、及び、前記押え材又は鞍部材は、その両端部が近接される二つのデッキ材に当接されて両デッキ材の間に所定間隔を設定する寸法を有するデッキ材固定装置を用いたデッキ材の固定構造が開示されている（例えば特許文献１）。
【０００４】
また、根太の上にデッキ材を載置し、隣接するデッキ材の対向面に形成してある溝に掛け渡された押え材に、前記隣接するデッキ材の間から挿入される工具によりねじを貫通して前記根太までねじ込むことにより、前記根太に前記デッキ材を前記押え材により規定される所定間隔を持って固定する装置において、前記押え材は、根太の長手方向に対応する両端部が隣接するデッキ材の溝に掛け渡される平板部と、その平板部の左右両端部のほぼ中央から前記根太の上部を嵌合し得る間隔を持って下方に延びる倒立Ｔ字形の係止壁とを有すること、前記平板部と係止壁の水平部との間に前記デッキ材の溝を形成する下壁の厚みよりも大きい間隙を有すること、前記平板部のほぼ中央にねじ貫通用孔が設けてあること、前記係止壁の垂直部の幅は、隣接して固定される二つのデッキ材の前記溝を形成する前記下壁の先端に当接されて両デッキ材の間の間隔を規定すること、前記根太の両側面上部に、前記押え材の両係止壁の間に前記根太の上部を嵌合した時に、前記平板部と根太の上面との間に前記デッキ材の溝を形成する下壁の厚みよりもやや大きな隙間を残して前記係止壁を係止する係止部が形成してあるデッキ材固定装置を用いたデッキ材の固定構造が開示されている（例えば特許文献２）。
【０００５】
【特許文献１】特開２００４−２１８３１２号公報
【特許文献２】特開２００４−２１８３１３号公報
【発明の開示】
【発明が解決しようとする課題】
【０００６】
しかしながら、特許文献１に記載のような従来のデッキ材の固定構造では、根太の上面に凸部を形成し、その凸部に鞍部材を鞍座させてねじ止めを行うことから、根太材に対するデッキ材の取付角度が直交の一種類のみとなり、例えばボードウォーク上での設置などではデッキ材の取付角度が直交のみとはならず複数種類となる場合には他の形状の部材が必要となり、取り付け作業が繁雑なものとなると共に、現地におけるデッキ材の取付角度の修正を殆ど行うことができず、デッキ材の取付角度の変更が容易ではないものとなっていた。
【０００７】
また特許文献２に記載のようなデッキ材の固定構造についても同様に、デッキ材の取付角度が複数種類となる場合には、他の形状の押え材が必要となり、また現地におけるデッキ材の取付角度の修正を殆ど行うことができず、デッキ材の取付角度の変更が容易ではないものとなっていた。
【０００８】
本発明は上記の如き課題に鑑みてなされたものであり、根太材に対するデッキ材の取付角度を変更するのが容易となされたデッキ材の固定構造を提供せんとするものである。
【課題を解決するための手段】
【０００９】
上記目的を達成するため、本発明は以下のような構成としている。すなわち、本発明に係わるデッキ材の固定構造は、開口縁により入り口が奧側より狭くなされた取付溝が上面に形成された根太材と、上面より下方の側面に突出して設けられた取付部を備えたデッキ材と、前記取付溝に挿入される挿入部と前記取付部を上方から押さえつけて固定する押圧部とを備えた取付金具と、を用いたデッキの固定構造であって、取付金具は断面両手鍋形状となされたもので、該両手鍋形状の鍋掴み部分が押圧部、鍋底部分が挿入部となされ、略同一の断面形状で延設されると共に、延設方向の両端から押圧部と挿入部とを残して切欠き部が形成され、挿入部が取付溝内に挿入された状態で、取付金具の延設方向と根太材の取付溝の延設方向とが平行から少なくとも直角となるまで、取付金具が回動可能となされ、該取付金具が回動されると前記切欠き部に根太材の取付溝の開口縁が挿入されるようになされると共に、挿入部に設けられたビス孔に挿通されたビスが前記取付溝の底に螺着されて、該取付金具が根太材に固定されるようになされていることを特徴とするものである。
【００１０】
本発明に係わるデッキ材の固定構造によれば、取付金具の挿入部が取付溝内に挿入された状態で、取付金具の延設方向と根太材の取付溝の延設方向とが平行から少なくとも直角となるまで、取付金具が回動可能となされ、該取付金具が回動されると前記切欠き部に根太材の取付溝の開口縁が挿入されるようになされると共に、挿入部に設けられたビス孔に挿通されたビスが前記取付溝の底に螺着されて、該取付金具が根太材に固定されるようになされていることで、押圧部に取り付けられるデッキ材の根太材に対する取付角度を容易に変更することができる。
【００１１】
また前記挿入部は、延設方向の先端の、少なくとも対角に位置する角部がＲ形状に面取りされていれば、取付金具を回動させる際に挿入部の角部が邪魔になりにくくなり、挿入部の延設方向の長さを大きくして取り付け強度を高めることができ好ましい。
【００１２】
また前記挿入部は、前記取付溝内で上下方向に付勢力が生じるバネ形状となされていれば、挿入部が取付溝内に挿入された状態でがたつくのを防いで、取り付けが更に容易に行うことができるようになり好ましい。
【発明の効果】
【００１３】
本発明に係わる請求項１に記載のデッキ材の固定構造によれば、取付金具の挿入部が取付溝内に挿入された状態で、取付金具の延設方向と根太材の取付溝の延設方向とが平行から少なくとも直角となるまで、取付金具が回動可能となされ、該取付金具が回動されると前記切欠き部に根太材の取付溝の開口縁が挿入されるようになされると共に、挿入部に設けられたビス孔に挿通されたビスが前記取付溝の底に螺着されて、該取付金具が根太材に固定されるようになされていることで、押圧部に取り付けられるデッキ材の根太材に対する取付角度を容易に変更することができる。
【発明を実施するための最良の形態】
【００１４】
本発明に係わる最良の実施の形態について、図面に基づき以下に具体的に説明する。
【００１５】
図１〜図３は、本発明に係わるデッキ材の固定構造におけるデッキの取り付けの、実施の一形態を示すもので、図１は取付金具と根太材とを示す説明図である。取付金具１は、断面両手鍋形状となされたもので、鍋掴み部分が押圧部１１、鍋底部分が挿入部１２となされ、両手鍋形状の断面形状で略同一断面にて延設されている。取付金具１の延設方向αの両端から、押圧部１１と挿入部１２を残して切り欠かれて切欠き部１３が形成されている。
【００１６】
根太材２０は、上面に取付金具１を取り付ける取付溝２が形成されており、延設方向βに同一断面にて延設されたものである。取付溝２は根太材２０と一体に設けられた開口縁２１により入り口の間隔Ｌ１が奧側の間隔Ｌ２より狭くなされ、取付溝２に開口縁２１間の間隔Ｌ１より幅広で、間隔Ｌ２より幅の狭い板状体が挿入可能となされると共に、挿入された場合に上方に抜けないようになされている。
【００１７】
取付金具１の延設方向αと根太材２０の延設方向とが一致された状態で、取付溝２の上方から取付金具１の挿入部１２を取付溝２内に挿入し、図２に示す如く取付溝２内で挿入部１２が矢印Ｙ１の方向に回動される。ここで、挿入部１２の幅は取付溝２の入り口の間隔Ｌ１より小さくなされることで挿入部１２が取付溝２内に挿入され、且つ切欠き部１３が設けられた部位の対角線の長さが間隔Ｌ１より小さくなされ、すなわち切欠き部１３が設けられた部位の回動半径が間隔Ｌ１の１／２より小さくなされることで、挿入部１２が取付溝２内で回動可能となされている。
【００１８】
取付溝２に取り付けられた取付金具１に対して、図３に示す如くデッキ材が取り付けられる。デッキ材１０の側面１０２には、上面１０１より下方である下端部分に取付部３が設けられており、取付部３は側面１０２から平板状に突出された板状部３１と、板状部３１の先端に設けられ上下方向の高さが板状部３１より大きくなされた突起部３２とから形成されている。側面１０２の上端付近からは、取付部３と同じ方向に平板状に突出され、且つ突出長さが取付部３より長くなされた隙間隠し部１０３が設けられている。デッキ材１０の延設方向γが根太材２０に取り付けられた取付金具１の延設方向αと略同一となされて矢印Ｙ２の方向に移動されることで、デッキ材１０に設けられた取付部３が取付金具１の押圧部１１と根太材２０との間に挟まれる。
【００１９】
図４は、根太材２０にデッキ材１０が取り付けられた状態を示すもので、（ａ）は平面図、（ｂ）は縦断面図であり、根太材２０に対してデッキ材１０を直交する方向に取り付けた場合を示している。まず（ａ）において、便宜上隙間隠し部１０３は省略しているが、挿入部１２には、１つのビス孔１４が設けられており、根太材２０に対しての取付金具１の固定はビス孔１４に挿通したビスを根太材２０に螺着することで行われる。
【００２０】
次に（ｂ）において、挿入部１２のビス孔１４に挿通されたビスＢ１が根太材２０に螺着されて緊結されることで、根太材２０と押圧部１１との間に挟まれた取付部３が上方から押圧されてデッキ材１０が固定される。押圧部１１の先端付近には、下方に向けて凸部１１１が形成されていることで、突起部３２が凸部１１１に引っかかって押圧している取付部３が取付金具１から外れにくくなされている。ビスＢ１の緊結は、隙間隠し部１０３間の隙間からドライバー等の工具を用いて行うことができる。
【００２１】
図５は、取付溝２内での挿入部１２の回動を示す平面図である。（ａ）に示す如く、延設方向αの挿入部１２の長さＬ３は取付溝２の奧側の間隔Ｌ２より小さくなされ、挿入部１２の先端１２１はＲ形状に面取りがなされている。取付溝２に挿入された挿入部１２は、（ｂ）に示す如く円形の回動範囲Ｃ１内で矢印Ｙ３に示す左右両回転に回動自在となされているが、先端１２１の角部がＲ形状に面取りされていることで角部が取付溝２の内面に引っかかりにくくなって、挿入部１２の長さに対して回動範囲Ｃ１を大きくすることができ、また挿入部１２を回動させやすくなって取り付けにおける作業性を高めることができる。
【００２２】
上述のような取付金具１を用いることで、図６に示す如く根太材２０に対して任意の角度θでデッキ材１０を取り付けることができる。図６においても便宜上隙間隠し材１０３を省略しているが、まず端部の取付金具１Ａの押圧部１１にデッキ材１０Ａの取付部３を挟んだ状態で任意の角度θとなるように取付金具１を根太材２０にビスＢ１で緊結する。次に別の取付金具１Ｂの挿入部（本図においては図示せず）を取付溝２に挿入し、回動させて任意の角度θとしてから先に取り付けたデッキ材１０Ａの取付部３に押圧部１１をあてがい、次のデッキ材１０Ｂを根太材２０上で矢印Ｙ２の方向に移動させ、デッキ材１０Ｂの取付部３を取付金具１Ｂの押圧部１１に嵌着させる。ビスＢ１が緊結されていない状態では、切欠き部１３により押圧部１１と根太材２０との間のクリアランスは取付部３を嵌着させるのに十分なものとなされている。取付金具１の両側の押圧部１１に取付部３が挟まれた状態でビスＢ１を緊結して固定する。更に次の取付金具１Ｃの挿入部を取付溝２に挿入して同様の作業を行い、かかる作業を順次行って行くことで任意の角度θにデッキ材１０を敷き詰めて取り付けることができる。
【００２３】
図７は、挿入部１２の角部の面取りの、他の例を示す平面図である。図５に示す如く全ての角部が面取りされていればいずれの方向にも回動自在とできるが、図中の実施形態では先端１２１の対角に位置する角部がＲ形状に面取りされている。かかる形状により、先端１２１の面取りされた部位には取付溝２の内面が当たらなくなり、少なくとも図中矢印Ｙ４に示すように一方向については取付金具１が９０度の角度で自在に回動可能となり、取付金具１を問題なく回動させて取付溝２に取り付けることができ、且つデッキ材１０の根太材２０への取付角度も問題なく自在なものとできる。更にまた、一方向のみに回動を規制することで仮り止め時等における回りすぎを防止して、取付時の作業性の向上に繋げることもできる。
【００２４】
図８は、取付金具１の挿入部１２の形状の、更に他の例を示すもので、（ａ）が図１に示した取付金具１の側面図、（ｂ）が他の例を示す側面図である。挿入部１２は（ａ）に示すように平坦な板状体としておいてもよいが、（ｂ）に示すように上下方向に折り曲げて、取付溝２内に挿入された状態で上下方向に付勢力が生じるような形状としておくことで、挿入部１２を取付溝２に挿入して仮り止めを行う際に、取付溝２におけるクリアランスが大きい場合にも取付金具１のがたつきや回動が抑えられて位置合わせを行うのが容易となり得る。また取付溝２をアルミニウム等の金属により押出成形を行う場合に、開口縁２１と取付溝２底部との間に間隔を大きく取ることができ、押出による成形を容易なものとできる。更に本実施形態の如く、上下方向の折り曲げを、先端と根本とで逆の方向にしておくことで、取付溝２内で挿入部１１を回動させる際に挿入部１１の先端が開口縁２１に引っかかりにくくできる。
【００２５】
また、押圧部１１には、下面から下方に先端が尖らせられた突起部１１２が四体突設されている。突起部１１２が設けられていることで、ビスＢ１を緊結した際に取付部３に突起部１１２が食い込んで、デッキ材１０が根太材２０の延設方向に滑動するのを抑止できる。また突起部１１２は略直角三角形状となされてとりわけ一方向からのデッキ材１０の滑動の抑止に強く働くようになされると共に、向きを逆とした二体を一対として、中央を挟んで該一対がそれぞれ設けられていることで、ビスＢ１による緊結において中央を挟んで不均一な押圧となった場合でも、いずれの方向に対してもデッキ材１０の滑動を抑止できるようになされている。
【００２６】
更にまた、取付金具１の側面と底面には内側に向けて線状に凹まされてリブ１５が設けられている。リブ１５により取付金具１の断面両手鍋形状を保持する強度が高められ、デッキ材１０の施工時に取付部３が衝突された場合や、長期に亘って使用される場合でも変形が起こりにくく、デッキ材１０をより確実に固定できるようになされている。また側面や底面のみならず、挿入部１１にもリブを設けて形状や付勢力の保持を図るようにしてもよい。
【００２７】
図９は、参考例に係わるデッキ材の固定構造を示す斜視図である。まず根太材２０はアルミニウム押出形材により形成されたもので、上面には、箱状に突出された幅Ｌ３の凸状部４と、凸状部４の両脇に平坦な下段部４１とが設けられている。根太材２０の上下面には、束材を取り付けるためのボルト頭部又はナットを摺動可能に挿入できる蟻溝状の束材取付溝２０１が形成されており、側面には幕板を取り付けるためのボルト頭部又はナットを摺動可能に挿入できる蟻溝状の束材取付溝２０２が形成されている。
【００２８】
デッキ材の取り付けに用いる取付金具５は、金具本体５１の延設方向α両側縁に沿って押圧部５２が設けられ、延設方向αの両端には、金具本体５１に切り込みを入れて断面コ字状に折り曲げた突出部５３が間隔をおいて二体設けられており、突出部５３の下面には根太材２０へ取り付けを行うためのビス孔５４が設けられている。突出部５３の間隔は、凸状部４の幅Ｌ３より大きい間隔Ｌ４となされている。金具本体５１の延設方向αの両端で、突出部５３が設けられていない部位には下方に向けて食い込み部５５が突設されている。また押圧部５２の先端付近には、第一の実施形態と同様に下方に向けて凸部５２１が形成されている。
【００２９】
取付金具５の根太材２０への取り付けは図１０の如く行われる。突出部５３の間に凸状部４が入るようになされ、突出部５３間の隙間Ｌ４より凸状部４の幅が大きくなされていることで、突出部５３は凸状部４を跨ぐようになされると共に、その下面は凸状部４の両脇の下段部４１に当接される。この状態で、突出部５３の下面に設けられたビス孔５５に挿通されたビスＢ２が根太材２０の下段部４１に螺着されて取付金具５が固定されるようになされている。
【００３０】
図１１は、デッキ材１０の固定方法を示す側面図である。デッキ材１０は第一の実施形態と同一のものを用いておりその詳細な説明は省略する。まず取付金具５の突起部５３が設けられた側に、一方のデッキ材１０Ａの取付部３が押圧部５２に挟まれた状態で、ビス孔５４に挿通されたビスＢ２が螺着されて取付金具５によりデッキ材１０Ａが固定される。ここで取付部３は突起部３２と凸部５２１とにより抜けにくくなされると共に、突起部３２に食い込み部５５が食い込むことで、デッキ材１０が根太材２０上で延設方向βやその他の方向に滑動するのを防止している。
【００３１】
デッキ材１０Ａ及び根太材２０に固定された取付金具５に対して、他方のデッキ材１０Ｂが取り付けられる。既にビスＢ２が螺着されていることから、隙間隠し部１０３間に隙間を設ける必要をなくすることができる。デッキ材１０Ｂは凸状部４と押圧部５２との間の隙間に取付部３が無理入れされるが、取付金具５が靱性に富む金属製であることと、凸部５２１の先端が斜め上方に向けられていることで、無理入れであっても円滑に行うことができる。デッキ材１０Ｂの他方の取付部３についてもデッキ材１０Ａと同様に食い込み部５５が設けられた取付金具５が取り付けられることで強固な固定がなされる。かかる取り付けを順次行うことで、根太材２０上にデッキ材１０を取り付けて行くことができる。
【００３２】
図１２は、この参考例による取付金具５の、取り付け可能な角度を示す説明図である。取付金具５が根太材２０に固定されていない状態で、突出部５３間の間隔Ｌ４が凸状部４の幅Ｌ３より大きくなされていることで、突出部５３と凸状部４との間に生じる隙間によって取付金具５の角度が調整可能となるが、その回動範囲は突起部５３の内縁部を通る円Ｃ２の、凸状部４の外側部分である図中角度θの範囲となり、回動範囲は凸状部４の幅Ｌ３及び突起部５３間の隙間Ｌ４により必要に応じて適宜設定してよい。
【００３３】
かかる取付金具５を用いることで、第一の実施形態と同様にデッキ材１０を根太材２０に対する取付角度を図１３に示す如く変更して取り付けることが可能となる。本図においては便宜上隙間隠し材１０３を省略しているが、まず端部の取付金具５Ａの押圧部５２にデッキ材１０Ａの取付部３を挟んだ状態で任意の角度θとなるように取付金具５Ａを根太材２０にビスＢ２で緊結する。次に別の取付金具５Ｂの押圧部５２をデッキ材１０Ａの取付部３にあてがった状態でビスＢ２を緊結する。ここで次のデッキ材１０Ｂを根太材２０上で矢印Ｙ６の方向に移動させ、取付部３を取付金具５Ｂの押圧部５２に対して無理入れして嵌着させる。更に次の取付金具５Ｃについて同様の作業を行い、かかる作業を順次行って行くことで任意の角度θにデッキ材１０を敷き詰めて取り付けることができる。
【図面の簡単な説明】
【００３４】
【図１】本発明に係わるデッキ材の固定構造の実施形態におけるデッキ材の取り付けを示す説明図である。
【図２】本発明に係わるデッキ材の固定構造の実施形態におけるデッキ材の取り付けを示す説明図である。
【図３】本発明に係わるデッキ材の固定構造の実施形態におけるデッキ材の取り付けを示す説明図である。
【図４】本発明に係わるデッキ材の固定構造の実施形態を示す説明図である。
【図５】本発明に係わるデッキ材の固定構造の実施形態における取付金具の回動状態を示す平面図である。
【図６】本発明に係わるデッキ材の固定構造の実施形態におけるデッキ材の取り付けを示す説明図である。
【図７】本発明に係わるデッキ材の固定構造の実施形態における取付金具の回動状態における他の例を示す平面図である。
【図８】本発明に係わるデッキ材の実施形態における挿入部の形状の、他の例を説明する側面図である。
【図９】参考例に係わるデッキ材の固定構造におけるデッキ材の取り付けを示す説明図である。
【図１０】参考例に係わるデッキ材の固定構造におけるデッキ材の取り付けを示す説明図である。
【図１１】参考例に係わるデッキ材の固定構造におけるデッキ材の取り付けを示す側面図である。
【図１２】参考例に係わるデッキ材の固定構造における取付金具の回動状態を示す平面図である。
【図１３】参考例に係わるデッキ材の固定構造におけるデッキ材の取り付けを示す説明図である。
【符号の説明】
【００３５】
１    取付金具
１１  押圧部
１２  挿入部
１２１  先端
１３  切欠き部
２    取付溝
２１  開口縁
３    取付部
４    凸状部
５    取付金具
５１  金具本体
５２  押圧部
５３  突出部
１０  デッキ材
２０  根太材
Ｌ３  凸状部の幅
Ｌ４  突出部間の隙間
α    取付金具の延設方向
β    根太材の延設方向
γ    デッキ材の延設方向
【図１】
0004654137.tif 000002
【図２】
0004654137.tif 000003
【図３】
0004654137.tif 000004
【図４】
0004654137.tif 000005
【図５】
0004654137.tif 000006
【図６】
0004654137.tif 000007
【図７】
0004654137.tif 000008
【図８】
0004654137.tif 000009
【図９】
0004654137.tif 000010
【図１０】
0004654137.tif 000011
【図１１】
0004654137.tif 000012
【図１２】
0004654137.tif 000013
【図１３】
0004654137.tif 000014